(57)【要約】【課題】トレイ上の正確な位置にディスクをスムースに載置することが可能なディスク傾斜部材を有する情報記憶ディスク取出装置を提供する。【解決手段】情報記憶ディスク取出装置３００は、フレーム３１０と、フレーム３１０に接続され、ディスク載置部３２３および排出位置を含むトレイ３２２を有するディスクドライブ３２０と、トレイ３２２のディスク載置部３２３の上方にあるフレーム３１０上に取り付けられ、トレイ３２２が排出位置にある時に、ディスクを傾斜させながら重力の作用により鉛直に落とすディスク傾斜部材と、を備える。これにより、傾斜部材を有する情報記憶ディスク取出装置は、トレイ上の正確な位置にディスクをスムースに載置させることができる。【選択図】図２
0003143241.tif 000002
【実用新案登録請求の範囲】
【請求項１】
フレームと、
前記フレームに接続され、ディスク載置部および排出位置を含むトレイを有するディスクドライブと、
前記トレイの前記ディスク載置部の上方にある前記フレーム上に取り付けられ、前記トレイが前記排出位置にあるときに、ディスクを傾斜させながら重力の作用により鉛直に落とすディスク傾斜部材と、を備えることを特徴とする情報記憶ディスク取出装置。
【請求項２】
前記ディスク傾斜部材は可撓性部材であることを特徴とする請求項１に記載の情報記憶ディスク取出装置。
【請求項３】
前記ディスク傾斜部材は剛性部材であることを特徴とする請求項１に記載の情報記憶ディスク取出装置。
【請求項４】
前記フレーム上に取り付けられ、前記ディスクを鉛直に落とすディスク送り機構をさらに備え、前記ディスク送り機構は、
前記フレーム上に取り付けられ、前記トレイが排出位置にあるときに、前記トレイの前記ディスク載置部に位置が合う開口を有するディスク送り本体と、
前記開口中に回転自在に取り付けられ、前記開口中で部分的に延伸された複数のディスク送り車輪と、
前記ディスク送り本体上の前記開口の周囲に取り付けられた複数の案内ポストを有するディスク案内装置と、を有することを特徴とする請求項１に記載の情報記憶ディスク取出装置。
【考案の詳細な説明】
【技術分野】
【０００１】
本考案は、情報記憶ディスク取出装置に関し、特に、ディスクドライブのトレイ上へディスクを鉛直に排出する時にディスクを傾斜させ、ディスクがトレイに接触する際にドライブに当たることを防ぐディスク傾斜部材を有する情報記憶ディスク取出装置に関する。
【背景技術】
【０００２】
ＣＤ−Ｒ、ＣＤ−ＲＷ、ＤＶＤ−Ｒなどを含むコンパクトディスク（ＣＤ）などの情報記憶ディスクは、様々なフォーマットでデジタル情報を記憶するために広く用いられている。ディスク取出装置は、ディスク複製装置、ディスク自動販売機などで使用したり販売したりするために、１枚ずつディスクを提供したり送ることが可能である。
【０００３】
自動ディスク取出装置は、利便性が高いため一般的になってきている。自動ディスク取出装置は、複製または販売を行うために、ディスク送り機構またはロボットアームを利用し、ブランクのＣＤなどのディスクを１枚ずつ移動したり供給したりする。自動ディスク取出装置がトレイ上などへディスクを鉛直に送る方法には、ディスク取出機構またはロボットアームからディスクをリリースし、重力の作用でディスクを落とし、トレイ上に載置させる方式を利用したものもあった。
【０００４】
図１を参照する。図１に示すように、例えば、自動ディスク複製システムは、コンパクトディスクドライブまたはディスクバーナーなどのディスクドライブ１００がディスク取出装置の下方に配置され、ディスク２００をトレイ１１０上に載置し、ディスク２００のリードまたはライトを行う。トレイ１１０は、ディスクドライブ１００の本体１２０中に出入り可能に取り付けられ、ディスク２００を所定の位置に載置して保持することが可能なディスク載置部１１１を有する。一般にディスク載置部１１１は、ディスク２００の直径よりも大きな直径を有する環状凹部である。また、トレイ１１０が本体１２０から排出されても、内側部分１１２が本体１２０中に隠され、ディスク載置部１１１が本体１２０から完全に露出されることはなかった。
【０００５】
しかし、ディスク２００が重力の作用により鉛直に落ちる時、ディスク載置部１１１中へ正確に載置させて保持するためには、ディスク２００をディスク載置部１１１の位置に合わせなければならなかった。また、内側部分１１２が本体１２０中に隠されている上、ディスク２００をディスク載置部１１１に位置合わせしなければならないため、ディスク２００をトレイ１１０に接触させる際に、ディスク２００の縁が本体１２０の頂部の角１２１に当たってしまうことがあった。これにより、落下中のディスク２００が運動経路から外れてディスク載置部１１１に載置されずに、自動操作が停止してしまうことがあった。
【０００６】
そのため、上述の問題が発生することを防ぐ情報記憶ディスクのディスク取出装置が求められていた。
【考案の開示】
【考案が解決しようとする課題】
【０００７】
本考案の目的は、トレイ上の正確な位置にディスクをスムースに載置させることが可能なディスク傾斜部材を有する情報記憶ディスク取出装置を提供することにある。
【課題を解決するための手段】
【０００８】
上述の目的を達成するため、本考案の請求項１に記載の情報記憶ディスクのディスク取出装置によると、フレームと、前記フレームに接続され、ディスク載置部および排出位置を含むトレイを有するディスクドライブと、前記トレイの前記ディスク載置部の上方にある前記フレーム上に取り付けられ、前記トレイが前記排出位置にある時に、ディスクを傾斜させながら重力の作用により鉛直に落とすディスク傾斜部材と、を備えることを特徴とする。
【０００９】
本考案の請求項２に記載の情報記憶ディスクのディスク取出装置によると、前記ディスク傾斜部材は可撓性部材であることを特徴とする。
【００１０】
本考案の請求項３に記載の情報記憶ディスクのディスク取出装置によると、前記ディスク傾斜部材は剛性部材であることを特徴とする。
【００１１】
本考案の請求項４に記載の情報記憶ディスクのディスク取出装置によると、前記フレーム上に取り付けられ、前記ディスクを鉛直に落とすディスク送り機構をさらに備え、ディスク送り機構は、前記フレーム上に取り付けられ、前記トレイが排出位置にあるときに、前記トレイの前記ディスク載置部に位置が合う開口を有するディスク送り本体と、前記開口中に回転自在に取り付けられ、前記開口中で部分的に延伸された複数のディスク送り車輪と、前記ディスク送り本体上の前記開口の周囲に取り付けられた複数の案内ポストを有するディスク案内装置と、を有することを特徴とする。
【００１２】
（考案の効果）
本考案のディスク傾斜部材を有する情報記憶ディスク取出装置は、トレイ上の正確な位置にディスクをスムースに載置することができる。
【考案を実施するための最良の形態】
【００１３】
以下、本考案の実施形態を図面に基づいて説明する。なお、これにより本考案が限定されるものではない。
【００１４】
（第１実施形態）
図２および図３を参照する。図２および図３に示すように、本考案の第１実施形態によるディスク取出装置３００は、フレーム３１０、ディスクドライブ３２０、ディスク送り機構３３０およびディスク傾斜部材３４０を含む。フレーム３１０は、ディスクドライブ３２０およびディスク送り機構３３０を有する。
【００１５】
ディスクドライブ３２０は、本体３２１およびトレイ３２２を含む。本体３２１中には、トレイ３２２が排出位置と後退位置の間で、出入り可能に取り付けられている。トレイ３２２は、ディスクの直径よりも大きな直径を有する環状凹部であるディスク載置部３２３を含む。
【００１６】
図４を参照する。図４に示すように、ディスク送り機構３３０は、フレーム３１０に取り付けられ、トレイ３２２が排出位置まで移動した時に、１枚のディスク４００がトレイ３２２のディスク載置部３２３上へ鉛直に落とされて載置される。図２に示すように、本実施形態のディスク送り機構３３０は、ディスク送り本体３３１、複数のディスク送り車輪３３２およびディスク案内装置３３３を含む。
【００１７】
ディスク送り本体３３１は、フレーム３１０に取り付けられ、トレイ３２２が排出位置にあるときに、トレイ３２２のディスク載置部３２３に位置合わせされる開口３３４を有する。ディスク送り車輪３３２は、回転部材であり、開口３３４に取り付けられ、開口３３４中にその一部が延伸されている。本実施形態のディスク送り車輪３３２は、三角形に配置された３つの車輪であるが、ディスク送り車輪３３２の数は必要に応じて決めてもよい。
【００１８】
ディスク案内装置３３３は、ディスク送り本体３３１上の開口３３４の周囲に装着され、積層されたディスク４００を所定の位置に合わせすることができる。ディスク案内装置３３３は、２つ以上の案内ポスト３３５を含む。本実施形態のディスク案内装置３３３は、３つの案内ポスト３３５を含む。
【００１９】
ディスク傾斜部材３４０は、開口３３４の下方の位置で、排出位置にあるトレイ３２２のディスク載置部３２３の上方に取り付けられている。ディスク傾斜部材３４０は、可撓性ストリップ、剛性ストリップ、凸部などでもよく、ディスク載置部３２３の中心軸へ向かって部分的に延伸されている。
【００２０】
図４、図５Ａ、図５Ｂおよび図５Ｃを参照する。図４、図５Ａ、図５Ｂおよび図５Ｃに示すように、ディスク送り機構３３０を利用し、トレイ上へディスクを順次1枚ずつ送る際、制御装置（図示せず）によりディスク送り車輪３３２の回転を制御する。ディスク送り車輪３３２が回転すると、ディスク積層の底部にあるディスク４００が移動し、開口３３４を通って重力の作用により自動的に落ちる。そして、底部のディスク４００がディスク送り車輪３３２から離れて落ちると、ディスク送り車輪３３２が停止する。このように、ディスク送り機構３３０は、トレイ上へ１枚ずつディスクを送ることを制御することができる。
【００２１】
図５Ａを参照する。図５Ａに示すように、ディスク４００が落ちてディスク傾斜部材３４０に接触すると、重力の作用によりディスク４００の縁の下部４１０がトレイ３２２のディスク載置部３２３に接触するまでディスク４００が傾く。そして、重力の作用により継続的に引っ張られると、ディスク４００の縁の下部４１０がディスクドライブ３２０の本体３２１の内側に向かってトレイ３２２のディスク載置部３２３上を滑動し、ディスク４００の縁の上部４２０が、図５Ｂの矢印が示す方向に向かって、ディスク傾斜部材３４０上を滑動する。図５Ｃに示すように、ディスク４００の縁の上部４２０が滑動してディスク傾斜部材３４０から離れると、このディスク４００が重力の作用により落ちてトレイ３２２のディスク載置部３２３中にディスク４００が載置される。このように、ディスク４００の縁の下部４１０がまずトレイ３２２のディスク載置部３２３上で滑動するため、下部４１０は、ディスクドライブ３２０の本体３２１の頂部の角に当たることがない。そのため、トレイ３２２のディスク載置部３２３中の正確な位置に、ディスク４００をスムースに載置させることができる。その後、トレイ３２２が内側に後退し、ディスク４００のリードまたはライトを行う。
【００２２】
（第２実施形態）
図６を参照する。図６に示すように、本考案の第２実施形態では、自動ロボットアーム５００をディスク送り機構として用いてディスク４００を送り、ディスクドライブ３２０のトレイ３２２上へディスク４００を供給する。同様に、自動ロボットアーム５００がトレイ３２２のディスク載置部３２３の上方にディスク４００を移動させてリリースすると、ディスク４００が重力の作用により落下する。前述したように、ディスク４００をディスク傾斜部材３４０により傾けながら落とすと、ディスク４００は、トレイ３２２のディスク載置部３２３に載置されて保持される。
【００２３】
以上、当該分野の技術を熟知するものが理解できるように本考案の好適な実施形態を開示したが、本考案は上述した実施形態に限定されるものではなく、本考案の主旨と領域を脱しない範囲内で各種の変更や修正を加えることができる。従って、本考案の実用新案登録請求の範囲は、このような変更や修正を含めて広く解釈される。
【図面の簡単な説明】
【００２４】
【図１】従来のディスク取出装置により、ディスクドライブにディスクが当たる時の状態を示す断面図である。
【図２】本考案の第１実施形態によるディスク取出装置を示す斜視図である。
【図３】本考案の第１実施形態によるディスク取出装置のディスク傾斜部材を拡大して示す平面図である。
【図４】本考案の第１実施形態によるディスク取出装置を示す側面図である。
【図５Ａ】本考案の第１実施形態によるディスク傾斜部材によりディスクを傾けながら、ディスクドライブのトレイのディスク載置部上にディスクを載置させるときの作動状態を示す側面図である。
【図５Ｂ】本考案の第１実施形態によるディスク傾斜部材によりディスクを傾けながら、ディスクドライブのトレイのディスク載置部上にディスクを載置させるときの作動状態を示す側面図である。
【図５Ｃ】本考案の第１実施形態によるディスク傾斜部材によりディスクを傾けながら、ディスクドライブのトレイのディスク載置部上にディスクを載置させるときの作動状態を示す側面図である。
【図６】本考案の第２実施形態による自動ロボットアームを用いてディスクを送るディスク取出装置を示す側面図である。
【符号の説明】
【００２５】
１００：ディスクドライブ、１１０：トレイ、１１１：ディスク載置部、１１２：内側部分、１２０：本体、１２１：頂部の角、２００：ディスク、３００：ディスク取出装置、３１０：フレーム、３２０：ディスクドライブ、３２１：本体、３２２：トレイ、３２３：ディスク載置部、３３０：ディスク送り機構、３３１：ディスク送り本体、３３２：ディスク送り車輪、３３３：ディスク案内装置、３３４：開口、３３５：案内ポスト、３４０：ディスク傾斜部材、４００：ディスク、４１０：下部、４２０：上部、５００：自動ロボットアーム
【図１】
0003143241.tif 000003
【図２】
0003143241.tif 000004
【図３】
0003143241.tif 000005
【図４】
0003143241.tif 000006
【図５Ａ】
0003143241.tif 000007
【図５Ｂ】
0003143241.tif 000008
【図５Ｃ】
0003143241.tif 000009
【図６】
0003143241.tif 000010
【手続補正書】
【提出日】平成20年4月28日(2008.4.28)
【手続補正１】
【補正対象書類名】実用新案登録請求の範囲
【補正対象項目名】全文
【補正方法】変更
【補正の内容】
【実用新案登録請求の範囲】
【請求項１】
フレームと、
前記フレームに接続するディスクドライブと、
前記ディスクドライブの外部に延出した状態である排出位置と前記ディスクドライブの内部に収容された状態である後退位置との間で出入り可能に前記ディスクドライブに設けられ、ディスクを載置可能なディスク載置部を有するトレイと、
前記フレーム上に取り付けられ、前記トレイが前記排出位置にあるときに、前記トレイの前記ディスク載置部に位置が合う開口を有するディスク送り本体と、
前記開口の端部で前記ディスク載置部の中心軸へ向かって延びて設けられるディスク傾斜部材と、を備え、
前記ディスク傾斜部材は、前記ディスクが前記開口を通過するとき、前記ディスクが上方から接触すると当該ディスクの重力の作用で傾斜して、前記ディスクの一端を下方にある前記ディスク載置部に接触させた後、前記ディスクを落下させて前記ディスク載置部に載置可能であることを特徴とする情報記憶ディスク取出装置。
【請求項２】
前記ディスク傾斜部材は可撓性部材であることを特徴とする請求項１に記載の情報記憶ディスク取出装置。
【請求項３】
前記ディスク傾斜部材は剛性部材であることを特徴とする請求項１に記載の情報記憶ディスク取出装置。
【請求項４】
前記フレーム上に取り付けられ、前記ディスクを鉛直に落とすディスク送り機構をさらに備え、前記ディスク送り機構は、
前記ディスク送り本体と、
前記開口中に回転自在に取り付けられ、前記開口中で部分的に延伸された複数のディスク送り車輪と、
前記ディスク送り本体上の前記開口の周囲に取り付けられた複数の案内ポストを有するディスク案内装置と、を有することを特徴とする請求項１に記載の情報記憶ディスク取出装置。